(57)【要約】【課題】造影剤を被検体に投与して行われるコントラストエコー法による撮像によって、より良好なコントラスト比で超音波診断画像を得ることが可能な超音波診断装置および超音波診断装置の制御プログラムを提供することである。【解決手段】超音波診断装置は、超音波送受信手段および画像生成手段を備える。超音波送受信手段は、正圧に最大振幅を有する第１の超音波パルスP1、負圧に最大振幅を有する第２の超音波パルスP2および第１の超音波パルスP1と第２の超音波パルスP2とを合成して得られる第３の超音波パルスP3を造影剤が投与された被検体に送信し、それぞれ対応する第１の受信エコーECHO1、第２の受信エコーECHO2および第３の受信エコーECHO3を取得する。画像生成手段は、第１の受信エコーECHO1、第２の受信エコーECHO2および第３の受信エコーECHO3の線形演算を行うことによって造影剤からの非線形成分となる合成信号Sを合成し、合成信号Sを用いて被検体の画像データを生成する。【選択図】  図５
2009022462.tif 000002
【特許請求の範囲】
【請求項１】
正圧に最大振幅を有する第１の超音波パルス、負圧に最大振幅を有する第２の超音波パルスおよび前記第１の超音波パルスと前記第２の超音波パルスとを合成して得られる第３の超音波パルスを造影剤が投与された被検体に送信し、それぞれ対応する第１の受信エコー、第２の受信エコーおよび第３の受信エコーを取得する超音波送受信手段と、
前記第１の受信エコー、前記第２の受信エコーおよび前記第３の受信エコーの線形演算を行うことによって前記造影剤からの非線形成分となる合成信号を合成し、前記合成信号を用いて前記被検体の画像データを生成する画像生成手段と、
を備えることを特徴とする超音波診断装置。
【請求項２】
前記超音波送受信手段は、前記第１の超音波パルスおよび前記第２の超音波パルスのそれぞれの振幅、位相、中心周波数および周波数帯域の少なくとも１つを互いに異なる値に設定するように構成されることを特徴とする請求項１記載の超音波診断装置。
【請求項３】
前記超音波送受信手段は、前記第１の超音波パルスおよび前記第２の超音波パルスを少なくとも一部が互いに異なる複数のチャンネルから送信することによって前記第３の超音波パルスを送信音場として形成するように構成されることを特徴とする請求項１記載の超音波診断装置。
【請求項４】
前記超音波送受信手段は、前記第１の超音波パルスおよび前記第２の超音波パルスを互いに異なる時相で送信するように構成されることを特徴とする請求項１記載の超音波診断装置。
【請求項５】
前記画像生成手段は、前記線形演算において、前記第１の受信エコー、前記第２の受信エコーおよび前記第３の受信エコーの振幅および位相の少なくとも一方の補正を行うように構成されることを特徴とする請求項１記載の超音波診断装置。
【請求項６】
コンピュータを、
正圧に最大振幅を有する第１の超音波パルス、負圧に最大振幅を有する第２の超音波パルスおよび前記第１の超音波パルスと前記第２の超音波パルスとを合成して得られる第３の超音波パルスがそれぞれ送信され、それぞれ対応する第１の受信エコー、第２の受信エコーおよび第３の受信エコーが取得されるように超音波プローブを制御する超音波制御手段、および
前記第１の受信エコー、前記第２の受信エコーおよび前記第３の受信エコーの線形演算を行うことによって前記造影剤からの非線形成分となる合成信号を合成し、前記合成信号を用いて前記被検体の画像データを生成する画像生成手段、
として機能させることを特徴とする超音波診断装置の制御プログラム。
【発明の詳細な説明】
【技術分野】
【０００１】
本発明は、被検体内に超音波パルスを照射し、被検体内で生じた超音波エコーを受信して各種処理を行なうことにより被検体内の生体情報を得る超音波診断装置および超音波診断装置の制御プログラムに係り、特に造影剤を用いたコントラストエコー法による撮像を行なうことが可能な超音波診断装置および超音波診断装置の制御プログラムに関する。
【背景技術】
【０００２】
超音波診断装置は、超音波プローブに内蔵された圧電振動子（超音波振動子）から被検体内に超音波パルスを照射し、被検体内で生じた超音波エコーを圧電振動子で受信して各種処理を行なうことにより被検体内の生体組織の断層画像や血流画像等の生体情報を得る装置である。
【０００３】
この超音波診断装置による撮影法の一つに、コントラストエコー法と称される撮影手法がある。コントラストエコー法は、被検体の血管内に造影剤としてマイクロバブルを投与することで、超音波散乱エコーの増強を図るものである。コントラストエコー法による撮像では、所定の周波数スペクトルを有する超音波パルスが照射され、造影剤であるマイクロバブルから得られる超音波エコーの非線形成分が映像化に用いられる（例えば、特許文献１参照）。
【０００４】
このコントラストエコー法において、マイクロバブルは正圧側に振幅を有する超音波に対してよりも負圧側に振幅を有する超音波に対する方がより大きな反応を示す、すなわちより信号強度の強い非線形成分を有する超音波エコーを発生させるという研究報告がなされている（例えば、非特許文献１参照）。
【０００５】
また、コントラストエコー法では、マイクロバブルからの超音波エコーに含まれるセカンドハーモニック（２次高調波）成分を映像化に使用する技術が考案されている。この技術では、超音波エコーのセカンドハーモニックに含まれる非線形成分が抽出され、抽出された非線形成分を用いてマイクロバブルの染影が映像化される。
【特許文献１】特開平８−１８２６８０号公報
【非特許文献１】”Experimental and Theoretical Evaluation of Microbubble Behavior: Effect of Transmitted Phase and Bubble Size", Karen E. Morgan, John S. Allen, Paul A. Dayton, James E. Chomas, Alexander L. Klibanov and Katherine W. Ferrara, Member, IEEE, IEEE TRANSACTIONS ON ULTRASONICS, FERROELECTRICS, AND FREQUENCY CONTROL, VOL.47, NO.6, NOVEMBER 2000.
【発明の開示】
【発明が解決しようとする課題】
【０００６】
しかしながら、従来のセカンドハーモニック成分を用いたコントラストエコー法では、セカンドハーモニック成分中に生体組織からの線形成分の組織エコーのみならず、非線形成分の組織エコーであるティッシュハーモニック成分が含まれていることから、組織エコーを完全に除去することができないという問題がある。この結果、従来のセカンドハーモニック成分を用いたコントラストエコー法では、超音波診断画像におけるコントラスト比、すなわち組織エコーの信号強度に対するマイクロバブルからの超音波エコーの信号強度の比が十分に確保できていない状況にある。
【０００７】
本発明はかかる従来の事情に対処するためになされたものであり、造影剤を被検体に投与して行われるコントラストエコー法による撮像によって、より良好なコントラスト比で超音波診断画像を得ることが可能な超音波診断装置および超音波診断装置の制御プログラムを提供することを目的とする。
【課題を解決するための手段】
【０００８】
本発明に係る超音波診断装置は、上述した課題を解決するために、請求項１に記載したように、正圧に最大振幅を有する第１の超音波パルス、負圧に最大振幅を有する第２の超音波パルスおよび前記第１の超音波パルスと前記第２の超音波パルスとを合成して得られる第３の超音波パルスを造影剤が投与された被検体に送信し、それぞれ対応する第１の受信エコー、第２の受信エコーおよび第３の受信エコーを取得する超音波送受信手段と、前記第１の受信エコー、第２の受信エコーおよび第３の受信エコーの線形演算を行うことによって前記造影剤からの非線形成分となる合成信号を合成し、前記合成信号を用いて前記被検体の画像データを生成する画像生成手段とを備えることを特徴とするものである。
【０００９】
また、本発明に係る超音波診断装置の制御プログラムは、上述した課題を解決するために、請求項６に記載したように、コンピュータを、正圧に最大振幅を有する第１の超音波パルス、負圧に最大振幅を有する第２の超音波パルスおよび前記第１の超音波パルスと前記第２の超音波パルスとを合成して得られる第３の超音波パルスがそれぞれ送信され、それぞれ対応する第１の受信エコー、第２の受信エコーおよび第３の受信エコーが取得されるように超音波プローブを制御する超音波制御手段、および前記第１の受信エコー、前記第２の受信エコーおよび前記第３の受信エコーの線形演算を行うことによって前記造影剤からの非線形成分となる合成信号を合成し、前記合成信号を用いて前記被検体の画像データを生成する画像生成手段として機能させることを特徴とするものである。
【発明の効果】
【００１０】
本発明に係る超音波診断装置および超音波診断装置の制御プログラムにおいては、造影剤を被検体に投与して行われるコントラストエコー法による撮像によって、より良好なコントラスト比で超音波診断画像を得ることができる。
【発明を実施するための最良の形態】
【００１１】
本発明に係る超音波診断装置および超音波診断装置の制御プログラムの実施形態について添付図面を参照して説明する。
【００１２】
図１は、本発明に係る超音波診断装置の実施の形態を示す構成図である。
【００１３】
超音波診断装置１は、装置本体２に超音波プローブ３と、モニタ４とを設けて構成される。装置本体２は、送受信部５、A/D (analog to digital)コンバータ６、信号処理部７、検波部８、スキャンシーケンス制御部９、システム制御部１０および表示部１１を備えている。装置本体２の各構成要素は、回路により、または制御プログラムをコンピュータのCPU (central processing unit)に読み込ませて構築することができる。
【００１４】
超音波プローブ３は、複数の超音波振動子を備えている。各超音波振動子は、送受信部５から電気パルスとして印加された送信信号を超音波パルスに変換して図示しない被検体内に送信する一方、被検体内部に送信された超音波パルスによって生じた超音波エコーを受信して電気信号である受信エコーとして送受信部５に与える機能を有する。すなわち、超音波プローブ３は、各超音波振動子に対応する複数の送信チャンネルからそれぞれ超音波パルスを送信する一方、複数の受信チャンネルで超音波エコーを受信できるように構成されている。
【００１５】
送受信部５は、スキャンシーケンス制御部９からスキャンシーケンスとして与えられた制御信号に従って送信信号を超音波プローブ３の各超音波振動子に与えることにより、超音波プローブ３から所定の特性をもった超音波パルスが送信されるように超音波プローブ３を制御する機能を有する。また、超音波プローブ３から受信エコーを受けて遅延処理、整相加算処理等の所定の前処理を行なった後、A/Dコンバータ６に与える機能を有する。
【００１６】
スキャンシーケンス制御部９は、送受信部５にスキャンシーケンスとして制御信号を与えることによって、超音波プローブ３から所定の波形の超音波パルスが送信されるように送受信部５を制御する機能を有する。具体的には、スキャンシーケンス制御部９は、正圧に最大振幅（ピーク）を有する第１の超音波パルス、負圧に最大振幅を有する第２の超音波パルスおよび第１の超音波パルスと第２の超音波パルスを合成して得られる第３の超音波パルスが超音波プローブ３から任意の順序で順次送信されるように、送受信部５に制御信号を与えて制御する機能を有する。さらに必要に応じてスキャンシーケンス制御部９は、第１の超音波パルス、第２の超音波パルスおよび第３の超音波パルスの振幅、位相、中心周波数および周波数帯域を所望の値に制御できるように構成される。また、スキャンシーケンス制御部９には、第１の超音波パルス、第２の超音波パルスおよび第３の超音波パルスを送信させる際の最大振幅の時相を互いに異ならせて順次送信させる機能も備えられる。
【００１７】
A/Dコンバータ６は、送受信部５から受けたアナログの受信エコーをデジタルの受信エコーに変換して信号処理部７または検波部８に与える機能を有する。
【００１８】
信号処理部７は、A/Dコンバータ６から受けた受信エコーに対する信号処理を実施する機能と、信号処理によって得られた合成信号を検波部８に与える機能を有する。具体的には、信号処理部７は、第１の超音波パルス、第２の超音波パルスおよび第３の超音波パルスにそれぞれ対応する第１の受信エコー、第２の受信エコーおよび第３の受信エコーを線形演算によって合成し、合成信号を生成する信号処理を行なうように構成される。この際、必要に応じて、信号処理部７は、第１の受信エコー、第２の受信エコーおよび第３の受信エコーの位相や振幅の補正を行うように構成される。
【００１９】
検波部８は、信号処理部７またはA/Dコンバータ６から必要な信号または受信エコーを取得し、取得したパルス信号または受信エコーの包絡線検波を行ない、検波結果を検波信号として表示部１１に与える機能を有する。
【００２０】
なお、信号処理部７と検波部８との配置を逆転させてもよい。その場合、検波部８は、A/Dコンバータ６から必要な受信エコーを取得し、取得した受信エコーの包絡線検波を行なう。また、信号処理部７は、検波部８から受けた受信エコーに対する信号処理を実施する。
【００２１】
表示部１１は、DSC (digital scan converter)を備えている。表示部１１は、検波部８から受けた検波信号からモニタ表示用の映像信号を生成し、生成した映像信号をモニタ４に与えて表示させる機能を有する。表示部１１は、検波部８から受けた検波信号をDSCによって超音波スキャンの走査方式から表示用のテレビ走査方式に変換するように構成される。
【００２２】
システム制御部１０は、装置本体２内の各構成要素である送受信部５、A/Dコンバータ６、信号処理部７、検波部８、スキャンシーケンス制御部９に制御信号を与えることにより統括制御する機能を有する。
【００２３】
次に超音波診断装置１の動作および作用について説明する。
【００２４】
図２は、図１に示す超音波診断装置１によりマイクロバブルを造影剤として用いたコントラストエコー法により被検体の超音波診断画像を取得する際の手順を示すフローチャートであり、図中Ｓに数字を付した符号はフローチャートの各ステップを示す。
【００２５】
まず予め、被検体にマイクロバブルからなる造影剤が投与され、多数のマイクロバブルが血管等の撮像対象部位に導入される。
【００２６】
そして、ステップＳ１において、正圧側に最大振幅を有する第１の超音波パルスP1が被検体に送信され、第１の受信エコーecho1が取得される。
【００２７】
すなわち、スキャンシーケンス制御部９が、正圧側に最大振幅を有する第１の超音波パルスP1が超音波プローブ３から送信されるようにスキャンシーケンスを生成する。スキャンシーケンス制御部９は、生成したスキャンシーケンスを送受信部５に与える。そうすると、送受信部５は、スキャンシーケンス制御部９から受けたスキャンシーケンスに従って送信信号を生成し、生成した送信信号を超音波プローブ３の各超音波振動子に与える。このため、超音波プローブ３からは、正圧側に最大振幅を有する第１の超音波パルスP1が被検体内の撮影対象部位に送信される。
【００２８】
撮影対象部位には、マイクロバブルが多数存在するため、マイクロバブルや組織に第１の超音波パルスP1が反射することによって生じた超音波エコーが、超音波プローブ３において受信される。超音波プローブ３において受信された第１の超音波パルスP1に対応する超音波エコーは、電気信号である第１の受信エコーecho1に変換されて送受信部５に与えられる。
【００２９】
送受信部５は、超音波プローブ３から受けた第１の受信エコーecho1をA/Dコンバータ６に与える。A/Dコンバータ６では、送受信部５から与えられたアナログの第１の受信エコーecho1からデジタルの第１の受信エコーecho1に変換される。デジタル化された第１の受信エコーecho1は、A/Dコンバータ６から信号処理部７に与えられる。
【００３０】
信号処理部７は、A/Dコンバータ６から受けた第１の受信エコーecho1に対して遅延処理、整相加算処理等の所定の処理を行なう。そして、信号処理部７には、第１の超音波パルスP1に対応する第１の受信エコーecho1が一時的に保存される。
【００３１】
次に、ステップＳ２において、負圧側に最大振幅を有する第２の超音波パルスP2が被検体に送信され、第２の受信エコーecho2が取得される。このとき望ましくは、第２の超音波パルスP2の時相は第１の超音波パルスP1の時相と異なる値に設定される。
【００３２】
すなわち、第１の超音波パルスP1と同様な流れによって第２の超音波パルスP2が被検体に送信され、第１の受信エコーecho1と同様な流れで第２の受信エコーecho2が取得される。そして、信号処理部７には、第２の超音波パルスP2に対応する第２の受信エコーecho2が一時的に保存される。
【００３３】
次に、ステップＳ３において、第１の超音波パルスP1と第２の超音波パルスP2とを線形加算することによって得られる第３の超音波パルスP3が被検体に送信され、第３の受信エコーecho3が取得される。
【００３４】
すなわち、第１の超音波パルスP1と同様な流れによって第３の超音波パルスP3が被検体に送信され、第１の受信エコーecho1と同様な流れで第３の受信エコーecho3が取得される。そして、信号処理部７には、第３の超音波パルスP3に対応する第３の受信エコーecho3が一時的に保存される。
【００３５】
次に、ステップＳ４において、信号処理部７により例えば式(1)に示すように第１の受信エコーecho1、第２の受信エコーecho2および第３の受信エコーecho3に対して線形演算が行われ、第１の受信エコーecho1、第２の受信エコーecho2および第３の受信エコーecho3が合成信号Sに合成される。  
［数１］
S= echo1+ echo2- echo3    (1)
ここで、第１の受信エコーecho1、第２の受信エコーecho2および第３の受信エコーecho3はそれぞれマイクロバブルからの線形成分と非線形成分および組織からの線形成分と非線形成分であるハーモニック成分とを含んでいる。また、第１の受信エコーecho1を取得するための第１の超音波パルスP1の最大振幅は正圧側にあり、第２の受信エコーecho2を取得するための第２の超音波パルスP2の最大振幅は負圧側にある。さらに、第３の受信エコーecho3を取得するための第３の超音波パルスP3は、第１の超音波パルスP1と第２の超音波パルスP2とを線形加算することによって得られたものである。
【００３６】
ここで、マイクロバブルは正圧側に振幅を有する超音波に対してよりも負圧側に振幅を有する超音波に対する方がより大きな反応を示す、すなわちより信号強度の強い非線形成分を有する超音波エコーを発生させることが知られている。
【００３７】
従って、第１の受信エコーecho1、第２の受信エコーecho2および第３の受信エコーecho3のそれぞれの非線形成分は互いに信号強度差を有することとなる。これに対し、第１の受信エコーecho1および第２の受信エコーecho2のそれぞれの線形成分を加算した信号の強度は、第３の受信エコーecho3の線形成分の信号強度に相当することとなる。
【００３８】
そこで、式(1)に示すように、第１の受信エコーecho1と第２の受信エコーecho2とを加算し、かつ第３の受信エコーecho3を減算すれば、線形成分は相殺されて除去される一方、非線形成分が残存することとなる。
【００３９】
非線形成分のうち、マイクロバブルからのエコーであるバブルエコーは基本波帯域においては組織エコーに比べて信号強度が一般的に強いことが知られている。また、基本波帯域におけるマイクロバブルの超音波に対する非線形応答が多く存在することも知られている。一方、組織エコーは、基本波帯域ではほぼ線形成分のみで構成され、組織エコーのハーモニック成分のほとんどはセカンドハーモニック帯域にあることが知られている。
【００４０】
従って、線形演算によって線形成分を除去すれば、基本波帯域においては、マイクロバブルからの非線形成分であるバブルエコーのみが抽出されることになる。そこで、基本波帯域における合成信号Sを映像化用に用いることができる。そのために、線形演算によって得られた基本波帯域の合成信号Sが信号処理部７から検波部８に与えられる。
【００４１】
尚、第１の超音波パルスP1の最大振幅の時相と第２の超音波パルスP2の最大振幅の時相とが互いに異なるようにすれば、第１の受信エコーecho1と第２の受信エコーecho2との間における非線形成分の信号強度差を大きくし、より信号強度が大きいバブルエコーの非線形成分を抽出させることができる。ただし、第１の超音波パルスP1と第２の超音波パルスP2との間における最大振幅の時相差を大きくし過ぎると、線形演算によって基本波帯域に組織エコーが残存する恐れがある。従って第１の超音波パルスP1と第２の超音波パルスP2との間における最大振幅の時相差は、シミュレーションや経験的に得られる適切な値に設定することが望ましい。
【００４２】
次に、ステップＳ５において、基本波帯域の合成信号Sが映像化される。そのために、検波部８は、合成信号Sの包絡線検波を行ない、検波結果を検波信号として表示部１１に与える。そして、表示部１１は、検波部８から受けた検波信号からモニタ表示用の映像信号を生成し、生成した映像信号をモニタ４に与えて表示させる。
【００４３】
この結果、モニタ４には、造影剤によって染影された被検体の血管等の撮影対象の造影画像が表示される。この造影画像は、線形演算により基本波帯域に残った非線形成分から生成されたため、組織からのエコーが抑圧される一方、バブルからのエコーが選択的に用いられて生成された画像となる。
【００４４】
図３は、図１に示す超音波診断装置１から被検体に向けて送信される第１の超音波パルスP1、第２の超音波パルスP2および第３の超音波パルスP3をシミュレーション用に設定した例を示す図である。
【００４５】
図３(A)(B)(C)においてそれぞれの横軸は時間(μs)を示し、それぞれの縦軸は音圧(MPa)を示す。また、図３(A)は、第１の超音波パルスP1を、図３(B)は、第２の超音波パルスP2を、図３(C)は、第３の超音波パルスP3をそれぞれ示す。図３(A)に示すように第１の超音波パルスP1は正圧側に最大振幅を有している。また、図３(B)に示すように第２の超音波パルスP2は、負圧側に最大振幅を有し、かつ最大振幅の時相が第１の超音波パルスP1の時相と異なる時相に設定される。さらに、第１の超音波パルスP1と第２の超音波パルスP2とを線形加算することによって図３(C)に示すような第３の超音波パルスP3を生成することができる。
【００４６】
図４は、図３に示す第１の超音波パルスP1、第２の超音波パルスP2および第３の超音波パルスP3の周波数スペクトルを示す図である。
【００４７】
図４において横軸は周波数(MHz)を示し、縦軸は信号強度レベル(dB)を示す。また、図４中の実線は、第１の超音波パルスP1、第２の超音波パルスP2および第３の超音波パルスP3の周波数スペクトルを示す。図４に示すように、第１の超音波パルスP1、第２の超音波パルスP2および第３の超音波パルスP3の周波数スペクトルは同一に設定することができる。
【００４８】
図５は、図３に示す第１の超音波パルスP1、第２の超音波パルスP2および第３の超音波パルスP3を用いてシミュレーションを行うことにより得られた合成信号Sを示す図である。
【００４９】
図５(A)(B)(C)(D)においてそれぞれの横軸は時間(μs)を示し、それぞれの縦軸は音圧(MPa)を示す。図５(A)は、第１の超音波パルスP1、第２の超音波パルスP2および第３の超音波パルスP3の波形を示す。図５(B)は、第１の超音波パルスP1と第２の超音波パルスP2とを加算し、第３の超音波パルスP3を減算した結果を示す。
【００５０】
図５(B)に示すように、第３の超音波パルスP3は、第１の超音波パルスP1と第２の超音波パルスP2との線形加算の結果であるため、第１の超音波パルスP1と第２の超音波パルスP2とを加算し、第３の超音波パルスP3を減算すると、信号は打ち消されてゼロとなる。従って、第１の超音波パルスP1の送信によって得られる第１の受信エコーecho1の線形成分に第２の超音波パルスP2の送信によって得られる第２の受信エコーecho2の線形成分を加算し、かつ第３の超音波パルスP3の送信によって得られる第３の受信エコーecho3を減算した結果も同様に信号が打ち消されてゼロとなる。
【００５１】
図５(C)は、シミュレーションによって得られた第１の受信エコーecho1、第２の受信エコーecho2および第３の受信エコーecho3を示す。尚、シミュレーション方法の詳細については、”Experimental and Theoretical Evaluation of Microbubble Behavior: Effect of Transmitted Phase and Bubble Size”, Karen E. Morgan, John S. Allen, Paul A. Dayton, James E. Chomas, Alexander L. Klibanov and Katherine W. Ferrara, Member, IEEE, IEEE TRANSACTIONS ON ULTRASONICS, FERROELECTRICS, AND FREQUENCY CONTROL, VOL.47, NO.6, NOVEMBER 2000.に記載されている。また、シミュレーションの主な条件としては、音速c=1540 (m/s)、送信周波数f0=3 (MHz)、波数n=2、シェル厚みε=1 (nm) である。
【００５２】
図６は、図５(C)に示す第１の受信エコーecho1、第２の受信エコーecho2および第３の受信エコーecho3の周波数スペクトルを示す図である。
【００５３】
図６において横軸は周波数(MHz)を示し、縦軸は信号強度レベル(dB)を示す。また、図６中の点線は、第１の超音波パルスP1、第２の超音波パルスP2および第３の超音波パルスP3の周波数スペクトルを示す。
【００５４】
図６に示すように、第１の受信エコーecho1、第２の受信エコーecho2および第３の受信エコーecho3のそれぞれの周波数スペクトルは、それぞれ非線形成分の影響により互いに異なり、かつ第１の超音波パルスP1、第２の超音波パルスP2および第３の超音波パルスP3の周波数スペクトルともそれぞれ異なる分布となる。すなわち、負圧側に最大振幅を有する第２の超音波パルスP2の送信によって得られた第２の受信エコーecho2は、正圧側に最大振幅を有する第１の超音波パルスP1の送信によって得られた第１の受信エコーecho1よりも、より広い周波数帯域に信号が分布していることが確認できる。これは、負圧側に最大振幅を有する第２の超音波パルスP2が正圧側に最大振幅を有する第１の超音波パルスP1よりもマイクロバブルに対してより大きな反応を示したためであると考えられる。
【００５５】
また、第３の超音波パルスP3の最大振幅または最大振幅を有する極が、第１の超音波パルスP1および第２の超音波パルスP2と異なることから、第３の超音波パルスP3の送信によって得られた第３の受信エコーecho3も、第１の受信エコーecho1および第２の受信エコーecho2とそれぞれ互いに異なる周波数スペクトルを示す。
【００５６】
従って、第１の受信エコーecho1、第２の受信エコーecho2および第３の受信エコーecho3を式(1)に示すように線形演算を行ったとしても、信号強度が十分に大きい非線形成分が合成信号Sとして残ることとなる。
【００５７】
図５(D)は、第１の受信エコーecho1、第２の受信エコーecho2および第３の受信エコーecho3の線形演算によって得られた合成信号Sを示す図である。すなわち、第１の受信エコーecho1と第２の受信エコーecho2とを加算し、第３の受信エコーecho3を減算すると図５(D)に示す合成信号Sが得られる。つまり、図５(B)に示すような線形成分に対する線形演算の結果とは異なりバブルエコーの非線形成分は線形演算によって打ち消されず、図５(D)に示すような合成信号Sが残ることとなる。
【００５８】
図７は、図５(D)に示す合成信号Sの周波数スペクトルを示す図である。
【００５９】
図７において横軸は周波数(MHz)を示し、縦軸は信号強度レベル(dB)を示す。基本波帯域において図７に示すような周波数スペクトルを有する合成信号Sには、組織エコーのハーモニック成分が殆ど含まれない。このため、基本波帯域の合成信号Sを映像化すれば組織エコーを低減したバブルエコーの超音波診断画像を良好なコントラスト比で得ることができる。
【００６０】
ところで、スキャンシーケンス制御部９による送受信部５の制御によって、第１の超音波パルスP1、第２の超音波パルスP2および第３の超音波パルスP3の振幅、位相、中心周波数、周波数帯域を所望の値に設定して送信することもできる。
【００６１】
図８は、図１に示す超音波診断装置１から第１の超音波パルスP1、第２の超音波パルスP2および第３の超音波パルスP3の振幅、位相、中心周波数、周波数帯域を所望の値に設定して送信する場合の例を示す図である。
【００６２】
図８(A)(B)(C)においてそれぞれの横軸は周波数を示す。また、図８(A)は第１の超音波パルスP1を、図８(B)は第２の超音波パルスP2を、図８(C)は第３の超音波パルスP3をそれぞれ示す。
【００６３】
図８(A)に示すように、第１の超音波パルスP1の振幅を基準となる振幅AのA1倍、位相を基準となる位相φに対してφ1 (deg)だけ増加させた値、中心周波数を基準となる中心周波数fからf1だけ増加させた値、周波数帯域を基準となる周波数帯域BからB1だけ増加させた値にそれぞれ設定することができる。同様に、図８(B)に示すように、第２の超音波パルスP2の振幅を基準となる振幅AのA2倍、位相を基準となる位相φに対してφ2(deg)だけ増加させた値、中心周波数を基準となる中心周波数fからf2だけ増加させた値、周波数帯域を基準となる周波数帯域BからB2だけ増加させた値にそれぞれ設定することができる。
【００６４】
また、図８(A)に示す第１の超音波パルスP1と図８(B)に示す第２の超音波パルスP2とを線形加算し、振幅をA3倍、位相を＋180°反転することによって図８(C)に示すような第３の超音波パルスP3を作成することができる。
【００６５】
そして、図８(A)(B)(C)に示すような第１の超音波パルスP1、第２の超音波パルスP2および第３の超音波パルスP3をそれぞれ送信することによって、それぞれ対応する第１の受信エコーecho1、第２の受信エコーecho2および第３の受信エコーecho3を得ることができる。この場合には、信号処理部７において第１の受信エコーecho1、第２の受信エコーecho2および第３の受信エコーecho3の信号強度を1/A3倍した信号を加算することによって、線形成分が打ち消されて非線形成分のみを抽出することができる。そして、組織エコーが除去され、バブルエコーの非線形成分を選択的に用いて映像化することが可能となる。
【００６６】
このように、第１の超音波パルスP1、第２の超音波パルスP2および第３の超音波パルスP3の振幅、位相、中心周波数、周波数帯域等の送信パラメータを所望の値に設定することが可能であり、その場合には、非線形成分が抽出できるように送信パラメータに応じて線形演算方法が決定される。従って、線形演算の際に、第１の受信エコーecho1、第２の受信エコーecho2および第３の受信エコーecho3の振幅のみならず位相の補正を行うようにすることもできる。
【００６７】
第１の超音波パルスP1、第２の超音波パルスP2および第３の超音波パルスP3の送信パラメータを変えて送信すれば、第１の受信エコーecho1、第２の受信エコーecho2および第３の受信エコーecho3間におけるバブルエコーの非線形成分の信号強度差をより大きくすることが期待できる。そのための最適な送信パラメータは、シミュレーションや撮影試験により予め求めておくことができる。
【００６８】
また、ここまでは、第３の超音波パルスP3の送信波形をスキャンシーケンス制御部９による送受信部５の制御によって第１の超音波パルスP1および第２の超音波パルスP2の合成処理を行い、電子的に得る例について説明したが、第３の超音波パルスP3の送信波形を送受信部５の制御によらず送信音場として形成することもできる。
【００６９】
組織エコーの抑圧効果を向上させるためには、第３の超音波パルスP3等の合成パルスの波形を高精度で生成して送信することが重要となる。しかしながら、送受信部５に備えられ、超音波プローブ３に送信パルスを印加するためのパルサの性能が波形を高精度で生成するために不十分となる恐れがある。そこで、第３の超音波パルスP3等の合成パルスを生成するための合成前の複数のパルスを送信する場合には互いに異なる送信開口でそれぞれ順次送信し、合成パルスを送信する場合には各送信開口から合成用の複数のパルスを同時に送信することによって合成パルスを送信音場として形成することができる。
【００７０】
図９は、図１に示す超音波プローブ３に備えられる複数の超音波振動子によって形成されるチャンネルを示す図である。
【００７１】
図９に示すように、超音波プローブ３は超音波パルスの送信および超音波エコーの受信用に複数のN個の送受チャンネルを備えている。そこで、第１の超音波パルスP1を送信するための複数のチャンネルと第２の超音波パルスP2を送信するための複数のチャンネルの全部または一部が互いに異なるチャンネルとなるように各チャンネルを割当てることができる。そして、第１の超音波パルスP1の送信に用いたチャンネルと第２の超音波パルスP2の送信に用いたチャンネルの双方を用いて第１の超音波パルスP1および第２の超音波パルスP2を同時に送信すれば、第３の超音波パルスP3を送信音場として合成することができる。
【００７２】
図１０は、図９に示す超音波プローブ３において排他的な互いに異なる複数のチャンネルから第１の超音波パルスP1および第２の超音波パルスP2を送信することによって第３の超音波パルスP3を送信音場として合成する場合の例を示す図である。
【００７３】
図１０に示すように、３回に亘る超音波パルスの送信が順次行われ、第１の送信音場、第２の送信音場および第３の送信音場がそれぞれ形成される。第１の送信音場は、超音波プローブ３の偶数チャンネル(CHANNEL 2X)を使用せずに偶数チャンネルと排他的な超音波プローブ３の奇数チャンネル(CHANNEL 2X+1)から第１の超音波パルスP1が送信されることによって形成される。第２の送信音場は、奇数チャンネル(CHANNEL 2X+1) を使用せずに偶数チャンネル(CHANNEL 2X)から第２の超音波パルスP2が送信されることによって形成される。第３の送信音場は、奇数チャンネル(CHANNEL 2X+1)から第１の超音波パルスP1が、偶数チャンネル(CHANNEL 2X)から第２の超音波パルスP2がそれぞれ同時に送信されることによって形成される。
【００７４】
このように、合成すべき超音波パルスの波形を電子的な制御ではなく送信音場として形成することによって、高精度な波形を有する合成超音波パルスを送信することが可能となり、より一層の組織エコーの抑圧効果の向上を図ることができる。
【００７５】
つまり以上のような超音波診断装置１は、正圧側および負圧側にそれぞれ最大振幅を有する２つの超音波パルスとこの２つの超音波パルスを合成した超音波パルスを送信することによって３つの受信エコー信号を取得し、取得した受信エコー信号の線形演算を行うことによってバブルエコーの非線形成分を抽出して映像化を行うものである。すなわち、正圧側および負圧側にそれぞれ最大振幅を有する２つの超音波パルスの送信に対するバブルの応答が異なるという性質を利用して、バブルエコーの非線形成分が線形演算によって抽出される。
【００７６】
このため、超音波診断装置１によれば、波形の異なる複数の超音波パルスの受信エコー信号を線形演算することでバブルエコーの非線形成分を効率よく抽出できる。また、組織エコーのセカンドハーモニック成分を含まない基本波帯域が映像化に用いられるため、組織エコーを低減することができる。この結果、組織からの信号に対するバブルから信号のコントラストを向上させることができる。
【図面の簡単な説明】
【００７７】
【図１】本発明に係る超音波診断装置の実施の形態を示す構成図。
【図２】図１に示す超音波診断装置によりマイクロバブルを造影剤として用いたコントラストエコー法により被検体の超音波診断画像を取得する際の手順を示すフローチャート。
【図３】図１に示す超音波診断装置から被検体に向けて送信される第１の超音波パルス、第２の超音波パルスおよび第３の超音波パルスをシミュレーション用に設定した例を示す図。
【図４】図３に示す第１の超音波パルス、第２の超音波パルスおよび第３の超音波パルスの周波数スペクトルを示す図。
【図５】図３に示す第１の超音波パルス、第２の超音波パルスおよび第３の超音波パルスを用いてシミュレーションを行うことにより得られた合成信号を示す図。
【図６】図５(C)に示す第１の受信エコー、第２の受信エコーおよび第３の受信エコーの周波数スペクトルを示す図。
【図７】図５(D)に示す合成信号の周波数スペクトルを示す図。
【図８】図１に示す超音波診断装置から第１の超音波パルス、第２の超音波パルスおよび第３の超音波パルスの振幅、位相、中心周波数、周波数帯域を所望の値に設定して送信する場合の例を示す図。
【図９】図１に示す超音波プローブに備えられる複数の超音波振動子によって形成されるチャンネルを示す図。
【図１０】図９に示す超音波プローブにおいて排他的な互いに異なる複数のチャンネルから第１の超音波パルスおよび第２の超音波パルスを送信することによって第３の超音波パルスを送信音場として合成する場合の例を示す図。
【符号の説明】
【００７８】
１  超音波診断装置
２  装置本体
３  超音波プローブ
４  モニタ
５  送受信部
６  A/Dコンバータ
７  信号処理部
８  検波部
９  スキャンシーケンス制御部
１０  システム制御部
１１  表示部
【図１】
2009022462.tif 000003
【図２】
2009022462.tif 000004
【図３】
2009022462.tif 000005
【図４】
2009022462.tif 000006
【図５】
2009022462.tif 000007
【図６】
2009022462.tif 000008
【図７】
2009022462.tif 000009
【図８】
2009022462.tif 000010
【図９】
2009022462.tif 000011
【図１０】
2009022462.tif 000012